(57)【要約】【課題】電場を形成するための駆動電圧を必要としないため、消費電力が発生しないタッチパネルを提供する。【解決手段】本発明のタッチパネル１００は、透明基板１１０と、透明基板１１０の両側に位置した複数のマグネット１２１，１２２と、透明基板１１０の一面に形成された強磁性体コア１４０と、強磁性体コア１４０の外側に位置するように透明基板１１０の一面に形成された電極１３０と、を含むものである。【選択図】図１
2014123367.tif 000002
【特許請求の範囲】
【請求項１】
透明基板と、
前記透明基板の両側に位置した複数のマグネットと、
前記透明基板の一面に形成された強磁性体コアと、
前記強磁性体コアの外側に位置するように前記透明基板の一面に形成された電極と、を含む、タッチパネル。
【請求項２】
前記電極は、前記強磁性体コアの外側に巻かれる、請求項１に記載のタッチパネル。
【請求項３】
前記電極は、前記強磁性体コアの周縁に沿って所定距離離隔して形成される、請求項１に記載のタッチパネル。
【請求項４】
前記電極は、円形または六角形のパターンに形成される、請求項１に記載のタッチパネル。
【請求項５】
前記電極および前記強磁性体コアは、前記透明基板の一面上に形成される、請求項１に記載のタッチパネル。
【請求項６】
前記電極および前記強磁性体コアは、前記透明基板の一面に埋め込まれて形成される、請求項１に記載のタッチパネル。
【請求項７】
透明基板と、
前記透明基板の一面に形成された強磁性体コアと、
前記強磁性体コアの外側に位置するように前記透明基板の一面に形成される電極と、
前記強磁性体コアと前記電極との間に位置するように前記透明基板の一面に形成されるマグネットと、を含む、タッチパネル。
【請求項８】
前記電極は、前記強磁性体コアの外側に巻かれる、請求項７に記載のタッチパネル。
【請求項９】
前記電極は、前記強磁性体コアの周縁に沿って所定距離離隔して形成される、請求項７に記載のタッチパネル。
【請求項１０】
前記マグネットは、前記強磁性体コアの周縁に沿って所定距離離隔して形成される、請求項９に記載のタッチパネル。
【請求項１１】
前記電極は、前記マグネットに対応する位置に形成される、請求項１０に記載のタッチパネル。
【請求項１２】
前記電極および前記マグネットは、円形または六角形のパターンに形成される、請求項７に記載のタッチパネル。
【請求項１３】
前記マグネット、前記電極および前記強磁性体コアは、前記透明基板の一面上に形成される、請求項７に記載のタッチパネル。
【請求項１４】
前記マグネット、前記電極および前記強磁性体コアは、前記透明基板の一面に埋め込まれて形成される、請求項７に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を用いてテキストおよびグラフィック処理を行う。
【０００３】
しかし、情報化社会の急速な進行により、コンピュータの用途が益々拡大する傾向にあるため、現在、入力装置の役割を担当しているキーボードおよびマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計および加工に関する技術などが注目されており、このような目的を達成するために、テキスト、グラフィックなどの情報入力が可能な入力装置として、タッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置およびＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）および赤外線方式（Ｉｎｆｒａｒｅｄ  Ｔｙｐｅ）に区分される。このような様々な方式のタッチパネルは、信号増幅の問題、解像度の差、設計および加工技術の難易度、光学的特性、電気的特性、機械的特性、耐環境特性、入力特性、耐久性および経済性を考慮して電子製品に用いられるが、現在、もっとも幅広い分野で用いられている方式は、抵抗膜方式および静電容量方式のタッチパネルである。
【０００７】
現在、静電容量方式のタッチパネルは、特許文献１に記載されたように、二つの電極間の静電容量を利用する方式を有しており、一つの電極は横軸に配列し、他の電極は縦軸に配列して格子構造を形成した後、両軸間の交差点で形成される静電容量を順次測定することで、特定地点の静電容量の変化を検知する方式を有する。
【０００８】
しかし、現在の静電容量方式は、電磁誘導により予め電場を形成するための駆動電圧が必要となるため、消費電力を発生させる問題がある。
【先行技術文献】
【特許文献】
【０００９】
【特許文献１】韓国公開特許第２０１２−００４４２６８号公報
【発明の概要】
【発明が解決しようとする課題】
【００１０】
本発明は、前記のような問題点を解決するために導き出されたものであって、本発明の目的は、駆動電圧を必要としないタッチパネルを提供することにある。
【課題を解決するための手段】
【００１１】
本発明の一実施例によるタッチパネルは、透明基板と、前記透明基板の両側に位置した複数のマグネットと、前記透明基板の一面に形成された強磁性体コアと、前記強磁性体コアの外側に位置するように前記透明基板の一面に形成された電極と、を含むものである。
【００１２】
また、一実施例によるタッチパネルにおいて、前記電極は、前記強磁性体コアの外側に巻かれることができる。
【００１３】
また、一実施例によるタッチパネルにおいて、前記電極は、前記強磁性体コアの周縁に沿って所定距離離隔して形成されることができる。
【００１４】
また、一実施例によるタッチパネルにおいて、前記電極は、円形または六角形のパターンに形成されることができる。
【００１５】
また、一実施例によるタッチパネルにおいて、前記電極および前記強磁性体コアは、前記透明基板の一面上に形成されることができる。
【００１６】
また、一実施例によるタッチパネルにおいて、前記電極および前記強磁性体コアは、前記透明基板の一面に埋め込まれて形成されることができる。
【００１７】
本発明の他の実施例によるタッチパネルは、透明基板と、前記透明基板の一面に形成された強磁性体コアと、前記強磁性体コアの外側に位置するように前記透明基板の一面に形成される電極と、前記強磁性体コアと前記電極との間に位置するように前記透明基板の一面に形成されるマグネットと、を含むものである。
【００１８】
また、他の実施例によるタッチパネルにおいて、前記電極は、前記強磁性体コアの外側に巻かれることができる。
【００１９】
また、他の実施例によるタッチパネルにおいて、前記電極は、前記強磁性体コアの周縁に沿って所定距離離隔して形成されることができる。
【００２０】
また、他の実施例によるタッチパネルにおいて、前記マグネットは、前記強磁性体コアの周縁に沿って所定距離離隔して形成されることができる。
【００２１】
また、他の実施例によるタッチパネルにおいて、前記電極は、前記マグネットに対応する位置に形成されることができる。
【００２２】
また、他の実施例によるタッチパネルにおいて、前記電極および前記マグネットは、円形または六角形のパターンに形成されることができる。
【００２３】
また、他の実施例によるタッチパネルにおいて、前記マグネット、前記電極および前記強磁性体コアは、前記透明基板の一面上に形成されることができる。
【００２４】
また、他の実施例によるタッチパネルにおいて、前記マグネット、前記電極および前記強磁性体コアは、前記透明基板の一面に埋め込まれて形成されることができる。
【発明の効果】
【００２５】
本発明のタッチパネルは、電場を形成するための駆動電圧を必要としないため、消費電力が発生しない。
【図面の簡単な説明】
【００２６】
【図１】本発明の一実施例によるタッチパネルを示す平面図である。
【図２】本発明の一実施例によるタッチパネルにおいて電極が形成された一例を示す側断面図である。
【図３】本発明の一実施例によるタッチパネルにおいて電極が形成された他の例を示す側断面図である。
【図４】本発明の他の実施例によるタッチパネルを示す平面図である。
【図５】本発明の他の実施例によるタッチパネルにおいて電極が形成された一例を示す側断面図である。
【図６】本発明の他の実施例によるタッチパネルにおいて電極が形成された他の例を示す側断面図である。
【発明を実施するための形態】
【００２７】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２８】
以下、添付図面を参照して、本発明の好ましい実施例を詳細に説明する。
【００２９】
図１は、本発明の一実施例によるタッチパネルを示す平面図である。
【００３０】
図１を参照すると、本発明の一実施例によるタッチパネル１００は、透明基板１１０と、マグネット１２１、１２２と、電極１３０と、強磁性体コア１４０と、を含む。
【００３１】
図２は、本発明の一実施例によるタッチパネルにおいて電極が形成された一例を示す側断面図であり、図３は、本発明の一実施例によるタッチパネルにおいて電極が形成された他の例を示す側断面図である。
【００３２】
ここで、図２は、タッチパネルにおいて電極が透明基板の一面に埋め込まれて形成された概念を示す側断面図であり、図３は、タッチパネルにおいて電極が透明基板の一面上に形成された概念を示す側断面図である。
【００３３】
以下、図１から図３を参照して、本発明の一実施例であるタッチパネルについて、より詳細に説明する。
【００３４】
まず、透明基板１１０は、電極１３０が形成される領域を提供する役割を行う。ここで、透明基板１１０は、電極１３０を支持するための支持力と画像表示装置（図示せず）で提供する画像をユーザが認識するための透明性を備えなければならない。上述の支持力および透明性を鑑みると、透明基板１１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラス又は強化ガラスなどで形成することが好ましいが、必ずしもこれに限定されるものではない。
【００３５】
一方、透明基板１１０の両面を活性化させるために高周波処理またはプライマー（ｐｒｉｍｅｒ）処理を施すことが好ましい。透明基板１１０の両面を活性化させることで、透明基板１１０と電極１３０との接着力を向上させることができる。
【００３６】
マグネット（ｍａｇｎｅｔ）１２１、１２２は、透明基板１１０の両側に複数設けられており、複数のマグネット１２１、１２２の間に磁場が形成される。この際、透明基板１１０の一側に位置したマグネット１２１と他側に位置したマグネット１２２との間に磁力が流れる。
【００３７】
また、マグネット１２１、１２２は、永久磁石からなることができる。
【００３８】
強磁性体コア１４０は、透明基板１１０の一面に多数形成される。この際、強磁性体コア１４０は、透明基板１１０の両側に設けられた複数のマグネット１２１、１２２の間に位置する。
【００３９】
また、強磁性体コア１４０は、例えば、円柱状に形成されてもよく、本発明はこれに限定されるものではない。
【００４０】
電極１３０は、透明基板１１０の一面に形成されるにあたり、強磁性体コア１４０の外側に位置するように形成されてもよい。
【００４１】
ここで、電極１３０は、強磁性体コア１４０の外面に沿って巻かれる（巻き取り）か、強磁性体コア１４０と所定距離離隔した距離に位置することができる。この際、電極１３０は、例えば、コイルからなってもよく、本発明はこれに限定されるものではない。
【００４２】
一方、強磁性体コア１４０および前記電極１３０は、多数からなり、多数の前記電極１３０は、それぞれ多数の強磁性体コア１４０の周縁に沿って所定距離離隔して配置されたパターンを形成することができる。この際、電極１３０は、複数の円形または六角形のパターンを形成してもよく、本発明はこれに限定されるものではない。
【００４３】
一方、本発明の一実施例によるタッチパネル１００は、一例として、電極１３０および強磁性体コア１４０が透明基板１１０の一面上に形成されてもよい（図３参照）。
【００４４】
また、本発明の一実施例によるタッチパネル１００は、他の例として、電極１３０および強磁性体コア１４０が透明基板１１０の一面に埋め込まれて形成されてもよい（図２参照）。
【００４５】
以下、前記のように構成された本発明の一実施例によるタッチパネルの作用について説明する。
【００４６】
本発明の一実施例によるタッチパネル１００は、強磁性体コア１４０の付近をユーザが指でタッチすると、指の体温が強磁性体コア１４０に熱を伝達し、伝達された熱によって強磁性体コア１４０の温度が上昇して磁化が激しく生じる。これにより、透明基板１１０の両側に配置されたマグネット１２１、１２２の間に流れる磁場を変化させ、強磁性体コア１４０の周りにある電極１３０に電流を誘発させる。この際、電極１３０と連結されたセンサ（図示せず）から誘発された電流をセンシングしてタッチを検知することができる。
【００４７】
図４は、本発明の他の実施例によるタッチパネルを示す平面図である。
【００４８】
図４を参照すると、本発明の他の実施例によるタッチパネルは、透明基板２１０と、マグネット２２０と、電極２３０と、強磁性体コア２４０と、を含む。
【００４９】
図５は、本発明の他の実施例によるタッチパネルにおいて電極が形成された一例を示す側断面図であり、図６は、本発明の他の実施例によるタッチパネルにおいて電極が形成された他の例を示す側断面図である。
【００５０】
ここで、図５は、タッチパネルにおいて電極が透明基板の一面に埋め込まれて形成された概念を示す側断面図であり、図６は、タッチパネルにおいて電極が透明基板の一面上に形成された概念を示す側断面図である。
【００５１】
以下、図４から図６を参照して、本発明の他の実施例であるタッチパネルについてより詳細に説明する。
【００５２】
まず、透明基板２１０は、電極２３０が形成される領域を提供する役割を行う。ここで、透明基板２１０は、電極２３０を支持するための支持力と画像表示装置（図示せず）で提供する画像をユーザが認識するための透明性を備えなければならない。上述の支持力および透明性を鑑みると、透明基板２１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラス又は強化ガラスなどで形成することが好ましいが、必ずしもこれに限定されるものではない。
【００５３】
一方、透明基板２１０の両面を活性化させるために、高周波処理またはプライマー（ｐｒｉｍｅｒ）処理を施すことが好ましい。透明基板２１０の両面を活性化させることで、透明基板２１０と電極２３０との接着力を向上させることができる。
【００５４】
強磁性体コア２４０は、透明基板２１０の一面に形成される。また、強磁性体コア２４０は、例えば、円柱状に形成されてもよく、本発明は、これに限定されるものではない。
【００５５】
電極２３０は、透明基板２１０の一面に形成されるにあたり、強磁性体コア２４０の外側に位置するように形成されてもよい。
【００５６】
ここで、電極２３０は、強磁性体コア２４０の外面に沿って巻かれる（巻き取り）か、強磁性体コア２４０と所定距離離隔した距離に位置することができる。この際、電極２３０は、例えば、コイルからなってもよく、本発明はこれに限定されるものではない。
【００５７】
マグネット２２０は、電極２３０と強磁性体コア２４０との間に位置するように透明基板２１０の一面に形成される。この際、マグネット２２０は、強磁性体コア２４０の周縁に沿って巻かれるか、所定距離離隔した距離に位置することができる。
【００５８】
また、マグネット２２０は、永久磁石からなることができる。
【００５９】
一方、強磁性体コア２４０、電極２３０およびマグネット２２０は、多数からなってパターンを形成することができる。
【００６０】
ここで、多数の電極２３０は、それぞれ多数の強磁性体コア２４０の周縁に沿って所定距離離隔して配置されたパターンを形成することができる。また、多数のマグネット２２０は、それぞれ多数の強磁性体コア２４０の周縁に沿って所定距離離隔して配置されたパターンを形成することができる。この際、電極２３０は、マグネット２２０の外面と所定距離離隔して配置されることができ、マグネット２２０の形状に対応するように形成されることができる。
【００６１】
また、電極２３０およびマグネット２２０は、複数の六角形のパターンを形成することができる。
【００６２】
一方、本発明の他の実施例によるタッチパネル２００は、一例として、マグネット２２０、電極２３０および強磁性体コア２４０が透明基板２１０の一面上に形成されてもよい（図６参照）。
【００６３】
また、本発明の他の実施例によるタッチパネル２００は、他の例として、マグネット２２０、電極２３０および強磁性体コア２４０が透明基板２１０の一面に埋め込まれて形成されてもよい（図５参照）。
【００６４】
以下、前記のように構成された本発明の他の実施例によるタッチパネルの作用について説明する。
【００６５】
本発明の他の実施例によるタッチパネル２００は、強磁性体コア２４０の付近をユーザが指でタッチすると、指の体温が強磁性体コア２４０に熱を伝達して、伝達された熱によって強磁性体コア２４０の温度が上昇して磁化が激しく生じる。これにより、強磁性体コア２４０の外側に配置されたマグネット２２０の磁場を変化させ、強磁性体コア２４０の周りにある電極２３０に電流を誘発させる。この際、電極２３０と連結されたセンサ（図示せず）から誘発された電流をセンシングしてタッチを検知することができる。
【００６６】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【産業上の利用可能性】
【００６７】
本発明は、タッチパネルに適用可能である。
【符号の説明】
【００６８】
１００、２００  タッチパネル
１１０、２１０  透明基板
１２１、１２２、２２０  マグネット
１３０、２３０  電極
１４０、２４０  強磁性体コア
【図１】
2014123367.tif 000003
【図２】
2014123367.tif 000004
【図３】
2014123367.tif 000005
【図４】
2014123367.tif 000006
【図５】
2014123367.tif 000007
【図６】
2014123367.tif 000008